(57)【要約】【課題】受け板と受け金具を確実に一体化させる。【解決手段】二重床用支持脚装置１は、床基礎２上に設置される台座４と、該台座４に立設される支持ボルト５と、該支持ボルト５に高さ調整自在に螺着される受け金具６と、該受け金具６に一体化されて床パネル３の下面を支える受け板７とを備え、受け金具６は、受け板７の下面に穿設される受け金具取付穴７ａに嵌入される筒部６ａと、該筒部６ａの下端部から外径方向に延出して、受け板７の下面を支える外フランジ部６ｂと、筒部６ａの上端部から内径方向に延出して、受け金具取付穴７ａの穴底面を支える内フランジ部６ｃと、該内フランジ６ｃの中心部に形成され、支持ボルト５に螺合する螺合部６ｄと、筒部６ａの外周部に形成され、筒部６ａが受け金具取付穴７ａに嵌入された後、外径方向に突出されて受け板７側に係合することにより、受け金具６と受け板７を一体化させる係合部６ｅとを有する。【選択図】図３
2010053516.tif 000002
【特許請求の範囲】
【請求項１】
床基礎と、該床基礎の上方に空間を存して敷設される床パネルとの間に配置され、該床パネルを高さ調整自在に支持する二重床用支持脚装置であって、
前記床基礎上に設置される台座と、
該台座に立設される支持ボルトと、
該支持ボルトに高さ調整自在に螺着されてる受け金具と、
該受け金具に一体化されて床パネルの下面を支える受け板とを備え、
前記受け金具は、
受け板の下面に穿設される受け金具取付穴に嵌入される筒部と、
該筒部の下端部から外径方向に延出して、受け板の下面を支える外フランジ部と、
前記筒部の上端部から内径方向に延出して、受け金具取付穴の穴底面を支える内フランジ部と、
該内フランジ部の中心部に形成され、前記支持ボルトに螺合する螺合部と、
前記筒部の外周部に形成され、筒部が受け金具取付穴に嵌入された後、外径方向に突出されて受け板側に係合することにより、受け金具と受け板を一体化させる係合部とを有する
ことを特徴とする二重床用支持脚装置。
【請求項２】
前記係合部は、筒部に切り込みを入れて形成される切り起し係合片であり、筒部が受け金具取付穴に嵌入された後、筒部の内周側からカシメ機を用いて外径方向に突出されることを特徴とする請求項１記載の二重床用支持脚装置。
【請求項３】
前記係合部は、周方向に所定の間隔を存して筒部の複数箇所に形成されることを特徴とする請求項１又は２記載の二重床用支持脚装置。
【請求項４】
請求項１〜３のいずれかに記載の受け金具として用いられることを特徴とする受け金具。
【発明の詳細な説明】
【技術分野】
【０００１】
本発明は、床基礎と、該床基礎の上方に空間を存して敷設される床パネル（ベースパネル）との間に配置され、該床パネルを高さ調整自在に支持する二重床用支持脚装置及び受け金具に関する。
【背景技術】
【０００２】
従来より、マンションなどの集合住宅やオフィスビルの床構造として、二重床構造が広く採用されている。二重床構造は、床基礎（スラブ）の上方に空間を存して床パネルを敷設する工法からなり、床基礎と床パネルとの間に形成される空間は、配線や配管に利用されるだけでなく、断熱材や防音材の装填空間としても利用される。
【０００３】
二重床を施工する場合は、通常、二重床用支持脚装置が使用される。この二重床用支持脚装置は、床基礎と床パネルとの間に配置され、該床パネルを高さ調整自在に支持するものであって、床基礎上に設置される台座と、該台座に立設される支持ボルトと、該支持ボルトに高さ調整自在に螺着される受け金具と、該受け金具に一体化されて床パネルの下面を支える受け板とを備えて構成されており、例えば、図１及び図２に示すように、床パネルの継ぎ目部に沿って多数配置され、床パネルの荷重を分担支持するようになっている。
【０００４】
しかしながら、従来の二重床用支持脚装置では、受け板と受け金具の一体化が不十分であるために、高さ調整の際に受け金具が支持ボルトと連れ回りし、高さ調整不能状態に陥る可能性があった。また、受け板と受け金具の一体化が不十分であると、受け板から受け金具が抜け、施工効率を低下させる可能性があった。また、受け板の下面に受け金具取付穴を穿設し、該取付穴に受け金具を嵌入取付けするものでは、受け金具取付穴の加工誤差やなどに起因し、受け金具と受け板との間にガタツキが発生し、受け板に載置される各床パネルの端部を均等に支持することができず、歩行などの際に一方の床パネル上に乗ると他方の床パネルが持ち上がりガタツキ音を生じるなどの不具合を招来する要因となっていた。
【０００５】
そこで、図６に示すように、受け金具１００の外フランジ部１０１に切り起し係合片１０２を形成し、該切り起し係合片１０２を受け板１０３の下面に打ち込むことにより、受け板に対して受け金具１００を回り止めしたものが知られているが、このものでは、切り起し係合片１０２を形成するために外フランジ部１０１の面域を大きくしなければならず、コスト高となるばかりか、切り起し係合片１０２が抜け方向から打ち込まれるため、十分な抜け止め荷重を確保できないという問題があり、施工後の受け板１０３が長期に渡り歩行などによる断続的な分担荷重（特に、床パネルの角隅部が載置されて分担支持する個所）を受け続けると、荷重を受けない側の切り起し係合片１０２に抜け方向の負荷が加わり、打ち込み部分にガタツキを生じ耐久性を損なうという危惧がある。
【特許文献１】特開平６−１８５１９０号公報
【発明の開示】
【発明が解決しようとする課題】
【０００６】
本発明は、上記の如き問題点を一掃すべく創案されたものであって、受け板と受け金具を確実に一体化し、高さ調整の際に受け金具が支持ボルトと連れ回りすることなく、良好な高さ調整が可能になると共に、受け板から受け金具が抜けて施工効率を低下させる不都合も防止でき、さらには、受け金具と受け板との間のガタツキも解消し、床パネルを安定に支持することができる二重床用支持脚装置及び受け金具の提供を目的とする。
【課題を解決するための手段】
【０００７】
上記課題を解決するために本発明の二重床用支持脚装置は、床基礎と、該床基礎の上方に空間を存して敷設される床パネルとの間に配置され、該床パネルを高さ調整自在に支持する二重床用支持脚装置であって、前記床基礎上に設置される台座と、該台座に立設される支持ボルトと、該支持ボルトに高さ調整自在に螺着される受け金具と、該受け金具に一体化されて床パネルの下面を支える受け板とを備え、前記受け金具は、受け板の下面に穿設される受け金具取付穴に嵌入される筒部と、該筒部の下端部から外径方向に延出して、受け板の下面を支える外フランジ部と、前記筒部の上端部から内径方向に延出して、受け金具取付穴の穴底面を支える内フランジ部と、該内フランジ部の中心部に形成され、前記支持ボルトに螺合する螺合部と、前記筒部の外周部に形成され、筒部が受け金具取付穴に嵌入された後、外径方向に突出されて受け板側に係合することにより、受け金具と受け板を一体化させる係合部とを有することを特徴とするものである。
また、上記課題を解決するために本発明の受け金具は、上記のいずれかに記載の受け金具として用いられることを特徴とするものである。
【発明の効果】
【０００８】
本発明は、上記のように構成したことにより、受け板と受け金具を確実に一体化し、高さ調整の際に受け金具が支持ボルトと連れ回りすることなく、良好な高さ調整が可能になると共に、外フランジ部の面域を殊更大きく成形する必要を無くし得て、受け板から受け金具が抜けて施工効率を低下させる不都合も防止でき、さらには、受け金具と受け板との間のガタツキが解消され、施工後、歩行などにより受け板に床パネルの部分的な集中荷重を断続的に受けて、荷重を受けない側が持ち上がり方向に負荷を生じても、係合部が受け板に受け止められて抜け止め係合が維持され、ガタツキを生じることなく耐久性が確保でき、床パネルを長年に渡り安定して支持することができる。
【発明を実施するための最良の形態】
【０００９】
以下、本発明の実施の形態を好適な実施の形態として例示する二重床用支持脚装置及び受け金具を図面に基づいて詳細に説明する。図１は二重床用支持脚装置の配置例を示す斜視図、図２は二重床用支持脚装置の配置例を示す平面図である。これらの図に示すように、本発明の実施形態に係る二重床用支持脚装置１は、マンションなどの集合住宅に二重床を施工する際に用いられるものであって、床基礎（スラブ）２と、該床基礎２の上方に空間を存して敷設される床パネル（ベースパネル）３との間に配置され、該床パネル３を高さ調整自在に支持するように構成される。なお、床パネル３には、６００×１８２０ｍｍのパーティクルボード材が用いられる。
【００１０】
図３は二重床用支持脚装置の分解説明図、図４二重床用支持脚装置の断面図、図５の（Ａ）は受け金具の平面図、（Ｂ）は下面図、（Ｃ）は側面図である。これらの図に示すように、本発明の実施形態に係る二重床用支持脚装置１は、床基礎（コンクリートスラブ）２上に設置される台座４と、該台座４に立設される支持ボルト５と、該支持ボルト５に高さ調整自在に螺着される受け金具６と、該受け金具６に一体化されて床パネル（ベースパネル）３の下面を支える受け板７とを備えて構成される。
【００１１】
台座４は、防振性や防音性を確保するために、弾性部材で形成されることが好ましい。例えば、本実施形態の台座４は、逆円錐台形状の防振ゴムで形成されるが、二重床用支持脚装置１及び床パネル３を安定に支持し得るのであれば、台座４の形状や材質は、本実施形態のものに限定されず、任意に変更することができる。
【００１２】
支持ボルト５は、例えば、外周面全域に雄ネジが形成されたネジ軸からなり、上端部には、ドライバーなどの工具による回転操作を許容するために、マイナス溝、プラス溝、六角穴などの回転操作部５ａが形成される。尚、支持ボルト５は、回転操作を容易にするために、台座４に対して回転自在であることが好ましい。
【００１３】
受け金具６は、受け板７の下面に穿設される受け金具取付穴７ａに嵌入される筒部６ａと、該筒部６ａの下端部から外径方向に延出して、受け板７の下面を支える外フランジ部６ｂと、筒部６ａの上端部から内径方向に延出して、受け金具取付穴７ａの穴底面を支える内フランジ部６ｃと、該内フランジ部６ｃの中心部に形成され、支持ボルト５に螺合する螺合部６ｄとを備える。例えば、本実施形態の受け金具６は、金属板素材の絞り加工により各部が形成されると共に、タップ転造により螺合部６ｄに雌ネジが形成される。
【００１４】
受け金具６は、さらに係合部６ｅを有しており、該係合部６ｅを介して受け板７と一体化されることにより、受け板７に対して回り止めや抜け止めがなされる。本発明の実施形態に係る受け金具６の係合部６ｅは、筒部６ａが受け板７の受け金具取付穴７ａに嵌入された後、外径方向に突出されて受け板７側に強制係合することにより、周方向に所定の間隔（９０°ピッチ）を存して筒部６ａの外周部に受け板７の各辺に向けて四箇所に形成され、受け金具６と受け板７を一体化させるように構成される。
【００１５】
具体的に説明すると、本実施形態の係合部６ｅは、筒部６ａに切り込みを入れて形成される切り起し係合片６ｆであり、筒部６ａが受け金具取付穴７ａに嵌入された後、筒部６ａの内周側からカシメ機を用いて外径方向に突出されることにより、係合部６ｅが受け金具取付穴７ａの内周面を強制的に押圧（圧入）変形させて係合する。これにより、係合部６ｅが受け金具取付穴７ａの内周部にガタツキ無くしっかりと係合が成され、回り止めされると共に上下方向への抜け止め強度を飛躍的に向上させることができる。
なお、筒部６ａにおける係合部６ｅの形成位置は任意であるが、周方向に所定の間隔を存して筒部６ａの複数箇所に対向して形成されることが好ましい。この様に形成すると、受け板７が分担支持する床パネル３の何れか一方に荷重が加わっても、他方の荷重を受けない側に生じる持ち上がり方向の負荷を好適に支持することができる。
【００１６】
受け板７は、例えば、木片を樹脂で固めたパーティクルボードからなり、下面には、前述した受け金具取付穴７ａが形成される一方、上面には、受け金具取付穴７まで貫通するボルト挿通孔７ｂが形成されている。すなわち、ボルト挿通孔７ｂから突出する支持ボルト５の回転操作部５ａを、ドライバー等の工具を用いて回転操作することにより、受け金具６及び受け板７が一体的に上下し、床パネル３の高さが変更されることとなる。尚、受け板７の上面には、両面粘着シート７ｃを貼着することが好ましい。このようにすると、施工時に剥離紙を剥がし、受け板７の上面を床パネル３の下面に粘着させることができるので、両者の位置ずれを防止できるだけでなく、高さ調整時における受け板７の連れ回りを防止して施工効率が高められる。
【００１７】
次に、二重床用支持脚装置１の組み立て手順及び二重床用支持脚装置１を用いた二重床の施工手順について説明する。
【００１８】
台座４、支持ボルト５、受け金具６及び受け板７は、それぞれ個別に製造される。支持ボルト５は、台座４に圧入組付けされ、受け金具６は、受け板７に嵌合組付けされる。受け金具６は、係合部６ｅを有しており、該係合部６ｅを介して受け板７と一体化される。本実施形態の係合部６ｅは、筒部６ａに切り込みを入れて形成される切り起し係合片６ｆからなり、筒部６ａが受け金具取付穴７ａに嵌入された後、筒部６ａの内周側からカシメ機を用いて外径方向に突出されることにより、受け金具取付穴７ａの内周部に係合する。これにより、受け金具６と受け板７は、互に回り止めされるだけでなく、確実に抜け止めされ、さらには、ガタツキ無く一体化される。そして、受け金具６と受け板７を一体化した後は、受け金具６の螺合部６ｄを支持ボルト５に螺合させることにより、二重床用支持脚装置１の組み立てが完了する。
【００１９】
二重床を施工する際には、図１及び図２に示すように、床基礎２上に複数の二重床用支持脚装置１を配置し、各二重床用支持脚装置１に目地間隔を存して床パネル３端部（角隅部、中間部）を載置して荷重を分担支持する。次に、床パネル３の基準高さを規定すると共に、各床パネル３が水平となるように、各二重床用支持脚装置１の高さ調整を行う。この高さ調整は、床パネル３間の目地部からドライバー等の工具を挿入し、支持ボルト５の回転操作部５ａを回転操作することにより行う。つまり、支持ボルト５を回転操作すると、支持ボルト５に螺合する受け金具６及び受け板７が一体的に上下し、床パネル３の高さが変更される。そして、高さ調整後は、ビスなどで床パネル３と受け板７を一体的に接合し、目地部に目地材を注入することにより、床下地が完成する。そして、床下地完成後、床パネル３上にタイルカーペット、フローリングなどの仕上げ床材３ａを敷設することにより、二重床の施工が完了する。
【００２０】
叙述の如く構成された本発明の実施の形態において、二重床用支持脚装置１は、床基礎２と、該床基礎２の上方に空間を存して敷設される床パネル３との間に配置され、該床パネル３を高さ調整自在に支持するものであり、床基礎２上に設置される台座４と、該台座４に立設される支持ボルト５と、該支持ボルト５に高さ調整自在に螺着される受け金具６と、該受け金具６に一体化されて床パネル３の下面を支える受け板７とを備えて構成されるのであるが、受け金具６は、受け板７の下面に穿設される受け金具取付穴７ａに嵌入される筒部６ａと、該筒部６ａの下端部から外径方向に延出して、受け板７の下面を支える外フランジ部６ｂと、筒部６ａの上端部から内径方向に延出して、受け金具取付穴７ａの穴底面を支える内フランジ部６ｃと、該内フランジ部６ｃの中心部に形成され、支持ボルト５に螺合する螺合部６ｄとを備えるだけでなく、筒部６ａの外周部に形成され、筒部６ａが受け金具取付穴７ａに嵌入された後、外径方向に突出されて受け板７側に係合する係合部６ｅを有しているので、受け金具６と受け板７を確実に一体化させることができる。
【００２１】
つまり、係合部６ｅを受け板７に係合させて両者を互に回り止め状態で一体化させ、高さ調整の際に受け金具６が支持ボルト５と連れ回りすることなく、良好な高さ調整を可能にするのであるが、本発明に係る係合部６ｅは、筒部６ａの外周部に形成され、筒部６ａが受け金具取付穴７ａに嵌入された後、外径方向に突出されて受け板７側に係合するので、抜け方向に対して大きな抵抗力を発揮することができ、その結果、外フランジ部６ｂの面域を殊更大きく成形する必要を無くし得て、受け板７から受け金具６が抜けて施工効率を低下させる不都合も確実に防止することができる。しかも、係合部６ｅは、受け板７に対する受け金具６の嵌合ガタも吸収し得るので、受け金具６と受け板７との間のガタツキも解消し、施工後、特に、床パネル３の角隅部が載置されて分担支持する個所に配置された二重床用支持脚装置１に対して、歩行などにより受け板７に床パネル３の部分的な集中荷重を断続的に受けて、荷重を受けない側に持ち上がり方向への負荷を生じても、上下方向への抜け止め係合がしっかりと維持されるので、係合部６ｅが受け板７に確実に受け止められてガタツキを生じることなく耐久性が確保でき、床パネル３を長年に渡り安定して支持することができる。
【００２２】
また、前記実施形態の係合部６ｅは、筒部６ａに切り込みを入れて形成される切り起し係合片６ｆであり、筒部６ａが受け金具取付穴７ａに嵌入された後、筒部６ａの内周側からカシメ機を用いて外径方向に突出されるので、係合部６ｅの付加により受け金具６の構造が複雑になったり、大幅なコストアップを将来するような不都合がなく、しかも、カシメ機を用いて容易に突出加工することができるので、組立工程の複雑化も回避することができる。
【００２３】
また、前記実施形態の係合部６ｅは、周方向に所定の間隔を存して筒部６ａの複数箇所に形成されるでの、受け金具６と受け板７との間に生じる回り止め荷重や抜け止め荷重を増加させることができるだけでなく、受け金具６と受け板７との間のガタツキもより確実に取り除くことができる。
【図面の簡単な説明】
【００２４】
【図１】二重床用支持脚装置の配置例を示す斜視図である。
【図２】二重床用支持脚装置の配置例を示す平面図である。
【図３】二重床用支持脚装置の分解説明図である。
【図４】二重床用支持脚装置の断面図である。
【図５】（Ａ）は受け金具の平面図、（Ｂ）は下面図、（Ｃ）は側面図である。
【図６】（Ａ）は従来例に係る受け金具の下面図、（Ｂ）は側面図である。
【符号の説明】
【００２５】
１    二重床用支持脚装置
２    床基礎
３    床パネル
３ａ  仕上げ床材
４    台座
５    支持ボルト
５ａ  回転操作部
６    受け金具
６ａ  筒部
６ｂ  外フランジ部
６ｃ  内フランジ部
６ｄ  螺合部
６ｅ  係合部
６ｆ  切り起し係合片
７    受け板
７ａ  金具取付穴
７ｂ  ボルト挿通孔
７ｃ  両面粘着シート
【図１】
2010053516.tif 000003
【図２】
2010053516.tif 000004
【図３】
2010053516.tif 000005
【図４】
2010053516.tif 000006
【図５】
2010053516.tif 000007
【図６】
2010053516.tif 000008